(57)【特許請求の範囲】
【請求項１】
ロウソクの外周外方を囲繞するロウソクカバーにおいて、
ロウソクの外周外方に外周側下部から内周側上部に向けて漸次円弧状に回転させながら円周方向に傾斜させた複数の翼体を同心円上に配置して、前記翼体によってロウソクの炎の周囲に上昇旋回流を発生させるように構成したことを特徴とするロウソクカバー。
【請求項２】
ロウソクを載置するロウソク台の上部に、ロウソクの外周外方を囲繞するロウソクカバーを設けたロウソク立てにおいて、
ロウソクカバーは、ロウソクの外周外方に外周側下部から内周側上部に向けて漸次円弧状に回転させながら円周方向に傾斜させた複数の翼体を同心円上に配置して、前記翼体によってロウソクの炎の周囲に上昇旋回流を発生させるように構成したことを特徴とするロウソク立て。
【発明の詳細な説明】
【技術分野】
【０００１】
本発明は、ロウソクの外周外方を囲繞するロウソクカバー、及び、ロウソクを載置するロウソク台の上部にロウソクカバーを設けたロウソク立てに関するものである。
【背景技術】
【０００２】
ロウソクは、転倒による火災の防止等のために、ロウソク立てに載置して使用される。このロウソク立てとしては、ロウソク台の上部にロウソクを直立させており、横風等によって消炎しないようにロウソクの周囲を円筒状のロウソクカバーで覆うものが考案されている（たとえば、特許文献１参照。）。
【０００３】
従来のロウソク立てでは、ロウソクの炎によって生じる上昇気流を利用して、ロウソクの芯に新たな空気（酸素）を供給し、ロウソクの炎の熱で気化したロウ（燃料）との燃焼反応で炎を形成するようにしている。
【先行技術文献】
【特許文献】
【０００４】
【特許文献１】特開平８−２３５９３０号公報
【発明の概要】
【発明が解決しようとする課題】
【０００５】
ところが、上記従来のロウソク立てでは、ロウソクの周囲を円筒状のロウソクカバーで覆っているために、ロウソクの芯に十分な空気が供給されず、ロウソクの炎が小さく、放射する光が暗くなり、また、不完全燃焼による煙が発生するおそれがあった。
【課題を解決するための手段】
【０００６】
そこで、請求項１に係る本発明では、ロウソクの外周外方を囲繞するロウソクカバーにおいて、ロウソクの外周外方に外周側下部から内周側上部に向けて漸次円弧状に回転させながら円周方向に傾斜させた複数の翼体を同心円上に配置して、前記翼体によってロウソクの炎の周囲に上昇旋回流を発生させるように構成することにした。
【０００７】
また、請求項２に係る本発明では、ロウソクを載置するロウソク台の上部に、ロウソクの外周外方を囲繞するロウソクカバーを設けたロウソク立てにおいて、ロウソクカバーは、ロウソクの外周外方に外周側下部から内周側上部に向けて漸次円弧状に回転させながら円周方向に傾斜させた複数の翼体を同心円上に配置して、前記翼体によってロウソクの炎の周囲に上昇旋回流を発生させるように構成することにした。 
【発明の効果】
【０００８】
そして、本発明では、以下に記載する効果を奏する。
【０００９】
すなわち、本発明では、ロウソクの外周外方に外周側から内周側に向けて円周方向に傾斜させた複数の翼体を同心円上に配置して、ロウソクの炎の周囲に上昇旋回流を発生させるように構成しているために、ロウソクの炎の周囲に形成される上昇旋回流によってロウソクの炎を渦巻状に上方に伸延させることができ、大きく明るい炎を形成することができるとともに、充分な空気（酸素）が供給されるので気化したロウ（燃料）が完全燃焼して煙の発生を抑制することができる。
【図面の簡単な説明】
【００１０】
【図１】実施例１に係るロウソク立てを示す正面分解図。
【図２】同正面断面図。
【図３】風車（ａ）、支持体（ｂ）、ロウソクカバー（ｃ）、蓋体（ｄ）を示す平面図。
【図４】実施例２に係るロウソク立てを示す平面図（ａ）、平面断面図（ｂ）、正面断面図（ｃ）。
【発明を実施するための形態】
【００１１】
以下に、本発明に係るロウソクカバー及びロウソク立ての具体的な構成について図面を参照しながら説明する。
【００１２】
［実施例１］
図１〜図３に示すように、実施例１に係るロウソク立て１は、ロウソク２を載置するロウソク台３の上部に蓋体４を被せ、蓋体４の上部にロウソクカバー５を載置し、ロウソクカバー５の上部外周に筒体６を取付け、筒体６の上部に支持体７を載置し、支持体７の上部に風車８を載置し、風車８の上部に装飾体９を載置している。
【００１３】
ロウソク台３は、上部を開口した有底円筒形状をしており、底部にロウソク２を載置する。
【００１４】
蓋体４は、ロウソク台３の上部開口に被せられ、中央部にロウソク２又はロウソク２の炎が挿通する円形状の開口10を形成するとともに、開口10の周囲に複数個（ここでは、12個）の円形状の吸気口11を形成している。
【００１５】
ロウソクカバー５は、ロウソク２又はロウソク２の炎の外周外方を囲繞する概略円環形状をしており、円環状のリング12の上部に複数枚（ここでは、12枚）の翼体13をロウソクカバー５の中心部（ロウソク２の中心部）を中心とする同心円上に円周方向に並べて形成している。各翼体13は、外周側から内周側に向けて（ロウソクカバー５の中心側に向けて）平面視で円周方向に向けて円弧状に傾斜させている。
【００１６】
このロウソクカバー５は、ロウソク２の外周外方に外周側から内周側に向けて円周方向に傾斜させた複数枚の翼体13を同心円上に配置することで、ロウソク２の炎の熱で生じる上昇気流をロウソク２の炎を中心にして炎の周囲で旋回させ、これにより、ロウソク２の炎の周囲に上昇旋回流を発生させるように構成している。なお、翼体13の形状は、ロウソク２の上方に上昇旋回流を発生させることができる形状であれば特に限定されるものではなく、所定の傾斜角で外周側から内周側に向けて直線状に傾斜させてもよく、また、上方へ向けて漸次させるようにしてもよい。
【００１７】
筒体６は、透光性を有する中空円筒形状をしており、下端開口部をロウソクカバー５の上部外周に嵌入している。
【００１８】
支持体７は、中央から３方向へ伸延させた支持脚14を筒体６の上端開口部に取付け、中央上部に円筒状の支持凹部15を形成している。
【００１９】
風車８は、回転軸16を支持体７の支持凹部15に回動自在に挿入し、回転軸16の外周部に複数枚（ここでは、５枚）の回転翼体17を形成するとともに、回転軸16の上部に円筒状のカップ18を形成している。このカップ18には、液体状の香料などを注入することができ、また、装飾体９を着脱自在に載置することができるようになっている。
【００２０】
このロウソク立て１では、カップ18に香料を注入した状態でロウソク２に着火すると、ロウソク２の炎の熱で生じる上昇気流がロウソクカバー５によって上昇旋回流となる。そして、ロウソク２の炎の周囲に形成される上昇旋回流によってロウソク２の炎を渦巻状に上方に伸延させることができ、大きく明るい炎を形成することができるとともに、充分な空気（酸素）が供給されるので気化したロウ（燃料）が完全燃焼して煙の発生を抑制することができる。なお、新たな空気（酸素）は、蓋体４の吸気口11やロウソクカバー５の隣接する翼体13の間から供給される。
【００２１】
また、上記ロウソク立て１では、ロウソク２の炎の熱でカップ18に注入した香料を気化させ、周囲に拡散させることができる。その際に、気化した香料を風車８によって水平方向へ向けて良好に拡散させることができ、また、風車８の回転を装飾体９の回転で視認することができる。
【００２２】
［実施例２］
図４に示すように、実施例２に係るロウソク立て19は、ロウソク20を載置するロウソク台21の上部に、ロウソク20の外周外方を囲繞するロウソクカバー22を設置している。
【００２３】
ロウソク台21は、木材等の浸透性を有する素材からなり、中央上部にロウソク20を載置するためのロウソク受け凹部23を形成するとともに、周縁上部に液体状の香料などを注入するためのカップ24を形成し、底部に脚体25を形成している。ロウソク受け凹部23には、金属製のロウソク受け26を取付けている。また、カップ24は、上端周縁部を隆起させている。なお、カップ24は、複数個形成してもよい。
【００２４】
ロウソクカバー22は、ロウソク20又はロウソク20の炎の外周外方を囲繞する概略円環形状をしており、ロウソク台21のロウソク受け凹部23の周囲に複数枚（ここでは、12枚）の翼体27をロウソクカバー22の中心部（ロウソク20の中心部）を中心とする同心円上に円周方向に並べて着脱自在に取付けている。各翼体27は、外周側下部から内周側上部に向けて（ロウソクカバー22の中心側に向けて）平面視で円周方向に向けて漸次円弧状に回転させながら（ひねりながら）傾斜させている。
【００２５】
このロウソクカバー22は、ロウソク20の外周外方に外周側から内周側に向けて円周方向に傾斜させた複数の翼体27を同心円上に配置することで、ロウソク20の炎の熱で生じる上昇気流をロウソク20の炎を中心にして炎の周囲で旋回させ、これにより、ロウソク20の炎の周囲に上昇旋回流を発生させるように構成している。このロウソクカバー22では、翼体27の基端部（下端部）をロウソク20（ロウソク台21の中心）を中心とした同心円上に円周方向に並べて配置するとともに、各翼体27を基端部（下端部）から先端部（上端部）に向けて漸次傾斜させているために、基端部では隣接する翼体27の隙間が狭く、翼体27の基端部から流入する空気が少なく、炎の横揺れが少ない、しかも、旋回上昇流によって炎が旋回しているために、炎が冷却されずに煙の発生を抑制できる。また、炎の上方側（翼体27の先端部側）では隣接する翼体27の隙間が広くなるが、炎の燃焼が進行しているために多少の横揺れがあっても煙の発生を抑制できる。なお、翼体27の形状は、ロウソク20の上方に上昇旋回流を発生させることができる形状であれば特に限定されるものではなく、所定の傾斜角で外周側から内周側に向けて直線状や円弧状に傾斜させてもよい。
【００２６】
このロウソク立て19では、カップ24に香料を注入した状態でロウソク20に着火すると、ロウソク20の炎の熱で生じる上昇気流がロウソクカバー22によって上昇旋回流となる。そして、ロウソク20の炎の周囲に形成される上昇旋回流によってロウソク20の炎を渦巻状に上方に伸延させることができ、大きく明るい炎を形成することができるとともに、充分な空気（酸素）が供給されるので気化したロウ（燃料）が完全燃焼して煙の発生を抑制することができる。なお、新たな空気（酸素）は、ロウソクカバー22の隣接する翼体27の間から供給される。
【００２７】
また、上記ロウソク立て19では、カップ24に注入した香料がロウソク台21の内部に浸透するとともに、ロウソク20の炎の熱で気化し、周囲に拡散させることができる。なお、ロウソク台21の表面に凹凸を形成することで表面積を増大し、香料の拡散を促進させることもできる。また、実施例１のロウソク立て１と同様に、ロウソクカバー22の上部に支持体７や風車８や装飾体９を取付けてもよい。なお、ロウソク台21のロウソク受け凹部23の上面や脚体25の底面などのロウソク台21の表面には、適宜耐熱塗装を施して、香料の揮発や発火を防止するようにしてもよい。
【符号の説明】
【００２８】
１  ロウソク立て                      ２  ロウソク
３  ロウソク台                        ４  蓋体
５  ロウソクカバー                    ６  筒体
７  支持体                            ８  風車
９  装飾体                            10  開口
11  吸気口                            12  リング
13  翼体                              14  支持脚
15  支持凹部                          16  回転軸
17  回転翼体                          18  カップ
19  ロウソク立て                      20  ロウソク
21  ロウソク台                        22  ロウソクカバー
23  ロウソク受け凹部                  24  カップ
25  脚体                              26  ロウソク受け
27  翼体
【図１】
0005910877.tif 000002
【図２】
0005910877.tif 000003
【図３】
0005910877.tif 000004
【図４】
0005910877.tif 000005